(57)【特許請求の範囲】
【請求項１】
被写体光を撮像する撮像手段と、
レリーズ操作に応答して絞り動作を開始し、設定された絞り動作時間が経過した時に前記絞り動作を完了させることによって前記撮像手段へ入射する被写体光量を調整する絞り手段と、
前記レリーズ操作が行われてから前記撮像手段による撮像動作を開始するまでの時間として予め定められたレリーズ安定タイマ時間と前記絞り動作時間とを比較して、長い方の時間が経過した時に前記撮像手段に撮像開始信号を供給し撮像動作を開始させる電子シャッタ手段と、
前記撮像手段の受光面を遮光する遮光手段を備え、前記レリーズ操作が行われてから所定時間が経過したときに前記遮光手段の開放動作を開始し、前記電子シャッタ手段による撮像動作の開始時には前記開放動作が完了するように前記遮光手段を駆動する機械的シャッタ手段と、を有し、
前記絞り動作が完了する前に前記遮光手段の開放動作が開始されることを特徴とする撮像装置。
【請求項２】
前記レリーズ安定タイマ時間をＴ１、前記絞り駆動時間をＴ２、前記機械的シャッタ手段が前記遮光手段の開放動作を開始してから完了するまでに要する時間をＴ３としたとき、前記所定時間は、前記Ｔ１と前記Ｔ２のうち長い方の時間から前記Ｔ３を差し引いた時間であることを特徴とする請求項１記載の撮像装置。
【請求項３】
前記絞り手段で設定可能な絞り段数と前記Ｔ２との対応を定めたテーブルを記憶した記憶手段を更に有し、
前記Ｔ２は、前記テーブルに定められた前記対応に従って、撮像時に設定された前記絞り段数に応じて定められることを特徴とする請求項２記載の撮像装置。
【請求項４】
前記Ｔ２は、前記絞り手段の絞り段数と前記Ｔ２との関係を示す関係式に撮像時に設定された前記絞り段数を適用して算出されることを特徴とする請求項２記載の撮像装置。
【発明の詳細な説明】
【０００１】
【発明の属する技術分野】
本発明は、電子シャッタ手段を備えた電子スチルカメラ等の撮像装置に関する。
【０００２】
【従来の技術】
周知のように、電子スチルカメラには、レリーズ操作に応答して光軸位置から該光軸位置を外れた位置へ瞬時に移動し且つシャッタが閉じ終わると元の光軸位置に戻る動作を行うミラー手段（クイック・リターン・ミラー）と、撮像手段の受光面の開放を行う先羽根及び前記撮像手段の受光面の遮光を行う後羽根を備える機械シャッタ手段と、前記撮像手段であるＣＣＤ（ｃｈａｒｇｅ  ｃｏｕｐｌｅｄ  ｄｅｖｉｃｅ）等の電荷蓄積素子の電荷蓄積時間を変化させて露光量を調整する電子シャッタ手段と、前記ＣＣＤに入射する光量を調整する絞り手段とを備えたものがある。
【０００３】
また、このような電子スチルカメラの場合、レリーズ操作を開始してから実際に露光が開始する迄の時間（この時間をレリーズタイムラグと称する）を一定に保つためにタイマー（このタイマーをレリーズ安定タイマーと称する）を設けているものがある。
【０００４】
図７は、従来の電子シャッタを備えた電子スチルカメラにおけるレリーズから露光終了迄のレリーズシーケンスのタイムチャート図である。
【０００５】
同図において、レリーズ操作であるスイッチ（ＳＷ２）がオン（ＯＮ）されると、それに応答してミラー手段（クイック・リターン・ミラー）が光軸位置から該光軸位置を外れた位置へ瞬時に移動する（これをミラーアップと称する）。また、これと同時に絞り手段も絞り駆動を開始し、レリーズ安定タイマーがスタートする。
【０００６】
そして、絞り駆動が終了するのを待って、機械シャッタ手段の先羽根の走行動作が開始し、ある時間経過後に前記先羽根の走行動作が完了し、更に、レリーズ安定タイマーがタイムアップしたら、ＣＣＤの電子シャッタ手段が駆動を開始する（蓄積を開始する）。
【０００７】
電子シャッタ手段が所定時間（設定されたシャッタ秒時）駆動後、機械シャッタ手段の後羽根が走行して撮像手段であるＣＣＤの受光面の遮光が行われると、転送処理である通常読み出し動作が開始される。
【０００８】
このように転送処理時には、ＣＣＤの受光面が完全に遮光状態となり、該ＣＣＤに余分な光が当たることがなくなるため、スミア等の問題発生を軽減することが可能となる。
【０００９】
また、従来、ミラーアップ動作と同時に機械的シャッタ手段の先羽根の走行動作を開始させ、ミラーアップと絞り駆動の動作が終了すると、電子シャッタ手段の駆動を開始させ、電子シャッタ手段が所定時間（設定されたシャッタ秒時）駆動後、機械シャッタ手段の後羽根が走行してＣＣＤの受光面の遮光が行われると、転送処理が開始されるものも提案されている（特開平９−２１８４３４号公報）。
【００１０】
【発明が解決しようとする課題】
しかしながら、上記従来例のように絞り手段の絞り駆動が完了後、機械的シャッタ手段の先羽根を走行させる電子シャッタ手段においては、以下のような問題がある。
【００１１】
即ち、レリーズ安定タイマー中に絞り手段が駆動できる時間は、機械的シャッタ手段の先羽根の走行を開始してから、完全に終了する迄の時間分短くなってなってしまう。
【００１２】
特に、絞り手段の駆動にモータを用いているカメラにおいては、バネ駆動のような高速化が困難であるため、このようなカメラにおいては、レリーズ安定タイマー中の絞り手段の絞り可能段数が減ってしまうことになる。従って、この場合は、被写界深度が浅くなり、動きの速い被写体等ではピントが合った写真を撮影することが困難となる。
【００１３】
また、レリーズ安定タイマーを延ばすことで、タイマー中の絞り駆動可能な段数を増やすことはできる。しかしながら、この場合は、レリーズしてから実際に撮影が行われるまでの時間が増えることになるので、動きの速い被写体等では撮影の決定的瞬間を逃してしまうという問題がある。
【００１４】
また、上記従来例である特開平９−２１８４３４号公報により公開されたカメラにおいては、レリーズ操作後、ミラーアップを開始すると同時に機械シャッタ手段の先羽根の走行動作と絞り手段の駆動が開始するので、上記のように、先羽根の走行時間分だけ絞り手段の駆動時間が少なくなってしまうという問題は回避できる。
【００１５】
しかしながら、通常は先羽根の走行時間より、ミラーアップ時間や絞り手段の駆動時間の方が長いので、上記従来例である特開平９−２１８４３４号公報により公開されたカメラでは、先羽根の走行動作が完了してからミラーアップ及び絞り手段の駆動が終了する迄の時間は、ＣＣＤに光が照射し続けてしまうことになるので、スミア等の問題が発生する。
【００１６】
本発明は上記のような従来技術の有する問題点を解消するためになされたもので、その目的は、電子シャッタ手段を用いて撮像する際の画質劣化を抑制しつつ、レリーズタイムラグ中の絞り込み可能な段数を増加することが可能で且つスミア等の問題を排除できる撮像装置を提供することである。
【００１７】
【課題を解決するための手段】
上記目的を達成するために請求項１に記載の撮像装置は、被写体光を撮像する撮像手段と、レリーズ操作に応答して絞り動作を開始し、設定された絞り動作時間が経過した時に前記絞り動作を完了させることによって前記撮像手段へ入射する被写体光量を調整する絞り手段と、前記レリーズ操作が行われてから前記撮像手段による撮像動作を開始するまでの時間として予め定められたレリーズ安定タイマ時間と前記絞り動作時間とを比較して、長い方の時間が経過した時に前記撮像手段に撮像開始信号を供給し撮像動作を開始させる電子シャッタ手段と、前記撮像手段の受光面を遮光する遮光手段を備え、前記レリーズ操作が行われてから所定時間が経過したときに前記遮光手段の開放動作を開始し、前記電子シャッタ手段による撮像動作の開始時には前記開放動作が完了するように前記遮光手段を駆動する機械的シャッタ手段と、を有し、前記絞り動作が完了する前に前記遮光手段の開放動作が開始されることを特徴とする。
【００２０】
【発明の実施の形態】
以下、本発明の各実施の形態を、図面を参照して説明する。
【００２１】
（第１の実施の形態）
まず、本発明の第１の実施の形態を図１〜図５を用いて説明する。
【００２２】
図１は、本実施の形態に係る撮像装置である電子スチルカメラの構成を示す図である。
【００２３】
同図において、２０はカメラ本体に内蔵されたカメラ制御手段であるところのマイクロコンピュータの中央処理装置（以下、ＭＰＵと記述する）である。ＭＰＵ２０には、ＡＦ（オートフォーカス）駆動回路１２、絞り駆動回路１３、ミラー駆動回路１４、焦点検出回路１６、シャッタ駆動回路１７、ＣＣＤ駆動回路１８、映像信号処理回路９、スイッチセンス回路２１、測光回路２３が接続されている。ＭＰＵ２０は、各要素及び上記各回路を予め定めた順序でシーケンシャルに制御する。
【００２４】
ＡＦ駆動回路１２は、例えば、ステッピングモータによって構成され、ＭＰＵ２０の制御によって撮影レンズユニット１内のフォーカスレンズ位置を変化させることによりＣＣＤ７にピントを合わせる。絞り駆動回路１３は、例えば、オートアイリス等によって構成され、ＭＰＵ２０の制御によって後述する絞り２を変化させて光学的な絞り値を変化させる。
【００２５】
尚、絞り２と絞り駆動回路１３とにより絞り手段を構成している。
【００２６】
４はメインミラーで、撮影レンズユニット１により結像される被写体像をペンタプリズム３へ導くと共に、その一部を透過させ、サブミラー５を通して焦点検出用センサ１５へ導くものである。ミラー駆動回路１４により、ファインダーにて被写体像を観察可能な位置と撮影時に被写体光束の光路から待避する退避位置とを可動自在に構成されている。
【００２７】
５はサブミラーで、メインミラー４の一部を透過した被写体光を反射させて、焦点検出用センサ１５へ被写体像を導くものである。サブミラー５は、メインミラー４、又は、メインミラー４のミラー駆動回路１４と連動し、メインミラー４がファインダーにて被写体像を観察可能な位置にある場合には、焦点検出用センサ１５へ被写体光を導く位置に、また、撮影時には被写体光束の光路から待避する位置（退避位置）に可動自在に構成されている。
【００２８】
ミラー駆動回路１４は、例えば、ＤＣモータとギヤトレイン等から構成され、ＭＰＵ２０の制御によってメインミラー４やサブミラー５を駆動させる。
【００２９】
尚、メインミラー４、サブミラー５及びミラー駆動回路１４とによりミラー手段を構成している。
【００３０】
３はペンタプリズムで、メインミラー４によって導かれた被写体像を正立正像に変換反射する光学部材である。
【００３１】
撮影レンズユニット１を通過した被写体光束は、絞り２を通過して、メインミラー４で反射された後、ペンタプリズム３に導かれ、不図示の接眼部で被写体像を観察する。また、撮影レンズユニット１を通過した被写体光束は、更には、測光センサ２２へも導かれる。また、メインミラー４を透過した光束は、サブミラー５で反射され、ＣＣＤ７の受光面と略等価な位置に配置された焦点検出用センサ１５の検出面上で再結像される。その光像は、電気的なイメージ信号に変換されて焦点検出回路１５に供給される。焦点検出回路１６は、ＭＰＵ２０の信号に従い、焦点検出用センサ１５の蓄積制御と読み出し制御を行って、画素情報をＭＰＵ２０へ出力する。
【００３２】
ＭＰＵ２０は、焦点検出回路１６からの被写体像のイメージ信号に基づいて、周知の位相差検出法による焦点検出演算を行い、撮影レンズユニット１による結像面とフィルム面等の予定結像面との差、即ち、デフォーカス量及びデフォーカス方向を求める。そして、ＭＰＵ２０は、算出したデフォーカス量及びデフォーカス方向に基づいて、ＡＦ駆動回路１２を介して撮影レンズユニット１内のフォーカスレンズ位置を変化させ、合焦位置まで駆動する。
【００３３】
６は機械シャッタ装置で、ファインダー観察時には被写体光束を遮り、撮像時にはレリーズ信号に応じて被写体光束の光路から待避して露光を開始させる先羽根（先羽根群）と、ファインダー観察時には被写体光束の光路から待避していると共に、撮像時には先羽根の走行開始後所定のタイミングで被写体光束を遮光する後羽根（後羽根群）とを有するフォーカルプレーンシャッタである。機械シャッタ装置６は、ＭＰＵ２０の指令を受けたシャッタ駆動回路１７によって制御される。
【００３４】
尚、機械シャッタ装置６とシャッタ駆動回路１７とにより機械シャッタ手段を構成し、ＭＰＵ２０とシャッタ駆動回路１７とにより機械シャッタ制御手段を構成している。
【００３５】
本実施の形態においては、先羽根と後羽根の両方を有している場合について説明しているが、遮蔽部材を一つだけとして露光を開始する場合は、被写体光束の光路から退避し、撮影が終了後再び被写体光束の光路を遮蔽する位置迄戻るような構成としても良い。
【００３６】
ＣＣＤ駆動回路１８は、ＭＰＵ２０の指令に基づきＣＣＤ７の電荷蓄積及び電荷転送を制御する。７は固体撮像素子（ＣＣＤ）で、撮影レンズユニット１により結像された被写体像を撮像して電気信号に変換するものである。この固体撮像素子７は、公知の２次元型撮像デバイスであるＣＣＤが用いられている。撮像デバイスには、ＣＣＤ型、ＭＯＳ型、ＣＩＤ型等、様々な形態があり、何れの形態の撮像デバイスを採用しても良いが、本実施の形態においては、光電変換素子（フォトセンサ）が２次元的に配列され、各フォトセンサで蓄積された信号電荷が垂直転送路及び水平転送路を介して出力されるインターライン型ＣＣＤ撮像素子が採用されている。
【００３７】
また、ＣＣＤ７は、各フォトセンサに蓄積される電荷の蓄積時間（シャッタ秒時）を制御する、いわゆる電子シャッタ機能を有している。８はＡ／Ｄ変換器で、ＣＣＤ７からのアナログ出力信号をデジタル信号に変換する。
【００３８】
尚、ＣＣＤ７、Ａ／Ｄ変換器８、ＣＣＤ駆動回路１８とにより撮像手段を構成している。
【００３９】
９は映像信号処理回路で、デジタル化されたＣＣＤ７の画像データに、ホワイトバランス調整、ガンマー／ニー処理、フィルター処理、モニタ表示用の情報合成処理等、ハードウエアによる画像処理全般を担当する。この映像信号処理回路９からのモニタ表示用の画像データは、液晶駆動回路（図示せず）を介して液晶モニタ１９に表示される。
【００４０】
映像信号処理回路９で補正処理された画像データは、圧縮回路１０でデータ圧縮処理を施された後、メモリカード１１に格納される。
【００４１】
尚、圧縮回路１０を設けずに、映像信号処理回路９で補正処理された画像データを直接メモリカード１１に格納する構成にしても良い。
【００４２】
スイッチセンス回路２１は、各スイッチの操作状態に応じて各部を制御する。
２２ａは図示しないレリーズボタンが半押しされたときにオンする第1スイッチ（ＳＷ１）である。２２ｂは前記レリーズボタンが全押しされたときにオンする第２スイッチ（ＳＷ２）である。第２スイッチ（ＳＷ２）２２ｂがオンされるとレリーズ操作が開始される。尚、レリーズボタンは、電子スチルカメラの外部に設けられる。
【００４３】
測光回路２３は、画面内の各エリアの輝度信号として、測光センサ２２からの出力をＭＰＵ２０に出力する。ＭＰＵ２０は、輝度信号をＡ／Ｄ変換し、撮影の露出の調整を行う。
【００４４】
次に、図１に示す本実施の形態に係る電子スチルカメラの動作を、図２乃至図６を参照して説明する。
【００４５】
図２及び図３は、本実施の形態に係る電子スチルカメラの動作の流れを示すフローチャートである。
【００４６】
図２において、まず、ステップＳ２０１にて図示しない電源スイッチがオンされると、電子スチルカメラは撮影のためのスタンバイ状態になる。
【００４７】
次に、ステップＳ２０２でレリーズボタンの半押し操作である第１スイッチ（ＳＷ１）２２ａがオン（ＯＮ）したか否かをオンする迄判断する。そして、オンしたと判断された場合は、ステップＳ２０３にて測光を、また、同時にステップＳ２０４にて焦点検出回路１６により測距が行われ、その結果に基づいて、ステップＳ２０５にて撮影レンズユニット１のレンズ駆動が開始される。
【００４８】
前記ステップＳ２０３及び前記ステップＳ２０５の処理が終了した後は、図示しない撮影モード選択スイッチによって選ばれた撮影露出モードにより、それぞれの撮影露出モードに対応した絞り値（Ａｖ値）や撮像時間（Ｔｖ値）の決定がなされる（ステップＳ２０６〜Ｓ２１３）。
【００４９】
即ち、ステップＳ２０６において撮影露出モードがＡｖ優先モードであるか否かを判断する。そして、Ａｖ優先モードであると判断された場合は、Ａｖ値は撮影者が選んだ任意の値となり、ステップＳ２１０へ進んで、前記ステップＳ２０３において測定した測光値に合わせてＴｖ値が決定された後、ステップＳ２１４へ進む。
【００５０】
一方、前記ステップＳ２０６において、Ａｖ優先モードでないと判断された場合は、ステップＳ２０７へ進んで、撮影露出モードがＴｖ優先モードであるか否かを判断する。そして、Ｔｖ優先モードであると判断された場合は、Ｔｖ値は撮影者が選んだ任意の値となり、ステップＳ２１１へ進んで、前記ステップＳ２０３において測定した測光値に合わせてＡｖ値が決定された後、前記ステップＳ２１４へ進む。
【００５１】
一方、前記ステップＳ２０７において、撮影露出モードがＴｖ優先モードでないと判断された場合は、ステップＳ２０８へ進んで、撮影露出モードがプログラムモードであるか否かを判断する。そして、プログラムモードであると判断された場合は、ステップＳ２１２へ進んで、前記ステップＳ２０３において測定した測光値に合わせて予めカメラに設定されている不図示のプログラム線図からそれぞれのＡｖ値及びＴｖ値が決定された後、前記ステップＳ２１４へ進む。
【００５２】
尚、前記プログラム線図としては、種々のパターンが考えられるが、一つのパターンを有する場合でも複数のパターンを有する場合でも基本的には同じフローを通過する。
【００５３】
一方、前記ステップＳ２０８において、プログラムモードでないと判断された場合は、ステップＳ２０９へ進んで、マニュアルモード（撮影露出モードがマニュアル露出）が実行され、次のステップＳ２１３においてＴｖ値、Ａｖ値ともユーザーが前記ステップＳ２０３において測定した測光値に基づいて選択した任意の値となる。このステップＳ２１３の処理が終了後は、前記ステップＳ２１４へ進む。
【００５４】
以上のように、いずれのモードが選択された場合でも、ステップＳ２１３迄の処理で制御すべきＴｖ値（目標撮像時間）、Ａｖ値が決定される。
【００５５】
次に、ステップＳ２１４では、レリーズスイッチの全押し操作によりオンする第２スイッチ（ＳＷ２）２２ｂがオン（ＯＮ）したか否かを判断する。そして、オンしないと判断された場合には、前記ステップＳ２０２へ戻り、また、オンしたと判断された場合は、図３のステップＳ２１５へ進む。
【００５６】
図３において、ステップＳ２１５では、ミラー駆動回路１４はメインミラー４とサブミラー５をミラーアップさせる制御を行う。次に、ステップＳ２１６で、前記図２のステップＳ２１３迄に決定したＡｖ値となるように、絞り駆動回路１３は絞り２の駆動を開始する。また、同時に絞り駆動時間：Ｔ２タイマーの動作を開始させる。
【００５７】
ここで、Ｔ２タイマーの設定方法について、図４を参照して説明する。
【００５８】
図４は、絞り段数と、この絞り段数による絞り駆動時間との関係を表わす表を示す図である。この図４に示す表の内容はＭＰＵ２０内に記録されていて、既に説明したように、図２のステップＳ２１３迄に決定した絞り段数を図４と照合して、絞り駆動時間：Ｔ２を設定して、Ｔ２タイマーの動作を開始させる。
【００５９】
尚、ここでは、絞り段数と絞り駆動時間との関係を図４に示すような表により求めたが、これに限定するものではなく、例えば、絞り段数と絞り駆動時間との関係式を作成して、この関係式から算出しても良い。
【００６０】
再び図３に戻って、ステップＳ２１７からステップＳ２２３迄の動作を、図５を参照しながら詳細に説明する。
【００６１】
図５は、本実施の形態に係る電子スチルカメラにおける、レリーズ開始「第２スイッチ（ＳＷ２）２２ｂがオンされてから」してからの動作タイミングを示すタイムチャート図である。
【００６２】
既に説明したように、第２スイッチ（ＳＷ２）２２ｂがオンされると、レリーズ安定タイマー：Ｔ１の動作が開始する。同時にミラーアップと絞り２も駆動を開始する。
【００６３】
更に、既に決定している絞り２の絞り段数を図４に示す表と照合して、絞り駆動時間：Ｔ２を設定し、Ｔ２タイマーの動作を開始させる。
【００６４】
次に、ＭＰＵ２０は、Ｔ１とＴ２とを比較して、どちらか時間の長い方を選択する。図５の場合は、Ｔ１の方が長いので、Ｔ１を選択する。
【００６５】
次に、ＭＰＵ２０は、（Ｔ１−Ｔ３）にてシャッタスタートタイマー：Ｔ４を求める。
【００６６】
ここでいうＴ３とはシャッタ駆動時間のことで、図５に示すように、（先羽根タイムラグ）＋（先羽根の幕速）にて決定される時間である。
【００６７】
尚、先羽根タイムラグとは、シャッタ駆動回路１７からの先羽根走行開始信号により機械シャッタ装置６の先羽根が駆動を開始してから、実際に本体開放部（以下、アパーチャと記述する）を開放し始める迄の時間である。また、先羽根の幕速とは、先羽根がアパーチャを走行する時間である。
【００６８】
こうして算出されたＴ４時間後に、シャッタ駆動回路１７からの先羽根走行開始信号により先羽根が走行を開始すると共に、シャッタ駆動時間：Ｔ３タイマーが動作を開始する。そして、シャッタ駆動時間：Ｔ３経過後（先羽根が完全に開放状態）、ＣＣＤ駆動回路１８は、ＣＣＤ７を駆動させて電荷蓄積動作を開始させる（電子シャッタ手段の駆動が開始する）。
【００６９】
このように、先羽根の走行開始をタイマーにて制御して、絞り２の駆動中に走行を開始する（オーバーラップさせる）ように制御している。従って、オーバーラップさせている時間分、従来よりもレリーズタイムラグ中の絞り駆動が可能な時間を増やすことができる。
【００７０】
次に、露出制御値に基づいて決定されたＴｖ値により所定時間蓄積動作を行い、終了タイミングに合わせて、シャッタ駆動回路１７からの後羽根走行開始信号により、機械シャッタ手段６の後羽根が走行動作を開始して、ＣＣＤ７の受光面を遮光状態とする。
【００７１】
ＣＣＤ７は、電荷蓄積時間終了と共に、光電変換素子に蓄積された信号電荷を垂直転送ＣＣＤへ転送し、後羽根駆動終了のタイミングにて信号電荷の読出し動作である通常読出しを行い、１コマの撮影シーケンスを終了させる。
【００７２】
再び図３のステップＳ２１７へ戻る。
【００７３】
ステップＳ２１７では、既に説明したように、レリーズ安定タイマー：Ｔ１と絞り駆動時間：Ｔ２のタイマー時間を比較し、時間の長い方を選択した後、次のステップＳ２１８へ進む。
【００７４】
ステップＳ２１８では、前記ステップＳ２１７において選択されたタイマーと、既に説明したシャッタ駆動時間Ｔ３とから、機械シャッタスタートタイマー：Ｔ４を算出し、Ｔ４タイマーの動作を開始させる。
【００７５】
次に、ステップＳ２１９へ進んで、Ｔ４タイマーがタイムアップしたか否かをタイムアップする迄判断する。そして、タイムアップしたと判断された場合には、次のステップＳ２２０へ進む。
【００７６】
ステップＳ２２０では、シャッタ駆動回路１７は先羽根走行開始信号を出力して機械シャッタ装置６の先羽根の走行動作を開始する。また、同時にシャッタ駆動時間Ｔ３タイマーの動作を開始する。
【００７７】
次に、ステップＳ２２１へ進んで、Ｔ３タイマーがタイムアップしたか否かをタイムアップする迄判断する。そして、Ｔ３タイマーがタイムアップした（先羽根が完全に開放した）と判断された場合は、次のステップＳ２２２へ進む。
【００７８】
ステップＳ２２２では、ＣＣＤ駆動回路１８はＣＣＤ７を作動させて蓄積動作を開始し、前記図２のステッＳ２１３迄に決定したＴｖ値により、電荷蓄積時間の制御を行った後、次のステップＳ２２３へ進む。
【００７９】
ステップＳ２２３では、蓄積終了のタイミングに合わせて、シャッタ駆動回路１７は機械シャッタ装置６へ後羽走行開始信号を出力して後羽根の駆動を行い、ＣＣＤ７の受光面を遮光状態とした後、次のステップＳ２２４へ進む。
【００８０】
ステップＳ２２４では、ＭＰＵ２０の命令によりミラー駆動回路１４はミラーダウンを開始すると共に、絞り駆動回路１３は絞り２を開放駆動させる。また、同時にＣＣＤ７は、電荷蓄積時間終了と共に、光電変換素子に蓄積された信号電荷を垂直転送ＣＣＤへ転送し、後羽根駆動終了のタイミングにて信号電荷の読出し動作である通常読み出しを行う。
【００８１】
次に、ステップＳ２２５へ進んで画像処理を行った後、次のステップＳ２２６でメモリカード１１へ記録した後、ステップＳ２１７へ進んで撮影動作を終了する。
【００８２】
以上のように、本実施の形態に係る撮像装置によれば、絞りの駆動が完了するのを待ってから先羽根が走行を開始するようなシリーズに駆動するのではなく、絞り駆動と先羽根の駆動とをオーバーラップさせているので、レリーズタイムラグ中の絞り駆動時間を増やすことができる。従って、レリーズタイムラグを一定に保った状態において絞り込める段数が増え、被写界深度が深くなるので、動きの速い被写体等に対してピントが合った写真を撮影することが可能となる。
【００８３】
また、レリーズ安定タイマーがタイムアップするのと略同時に先羽根の走行が完了するので、撮像手段であるＣＣＤ等に、余分な光が照射する時間を極力短くでき、スミア等の問題の発生を防止することが可能となる。
【００８４】
（第２の実施の形態）
次に、本発明の第２の実施形態について、図６を用いて説明する。
【００８５】
尚、本実施の形態に係る撮像装置である電子スチルカメラの構成については、上述した第１の実施の形態の図１と同一であり、また、本実施の形態に係る撮像装置である電子スチルカメラにおける絞り段数と、この絞り段数による絞り駆動時間との関係を表わす表は、図４と同一であるから、必要に応じてこれら両図を流用して説明する。
【００８６】
図６は、本実施の形態に係る撮像装置である電子スチルカメラにおける、レリーズ開始「第２スイッチ（ＳＷ２）２２ｂがオンされてから」してからの動作タイミングを示すタイムチャート図である。
【００８７】
既に、上述した第１の実施の形態において説明したように、レリーズ操作である第２スイッチ（ＳＷ２）２２ｂがオンされると、ミラーアップ動作が開始すると共に、ミラーアップタイマー：Ｔ１の動作が開始する。また、同時に絞り２も駆動を開始する。
【００８８】
更に、既に決定している絞り２の絞り段数を図４の表と照合して、絞り駆動時間：Ｔ２を設定し、Ｔ２タイマーの動作を開始させる。
【００８９】
次に、ＭＰＵ２０は、Ｔ１とＴ２とを比較して、どちらか時間の長い方を選択する。図４の場合は、Ｔ２の方が長いので、Ｔ２を選択する。
【００９０】
次に、ＭＰＵ２０は、（Ｔ２−Ｔ３）にてシャッタスタートタイマー：Ｔ４を算出する。
【００９１】
ここでいうＴ３とは、シャッタ駆動時間のことで、図６に示すように、（先羽根タイムラグ）＋（先羽根の幕速）にて決定される時間である。
【００９２】
尚、先羽根タイムラグとは、シャッタ駆動回路１７からの先羽根走行開始信号により機械シャッタ装置６の先羽根が駆動を開始してから、実際に本体開放部（以下、アパーチャと記述する）を開放し始める迄の時間である。また、先羽根の幕速とは、先羽根がアパーチャを走行する時間である。
【００９３】
こうして算出されたＴ４時間経過後に、シャッタ駆動回路１７からの先羽根走行開始信号により先羽根が走行を開始すると共に、シャッタ駆動時間：Ｔ３タイマーの動作が開始する。そして、シャッタ駆動時間：Ｔ３経過後（先羽根が完全に開放状態）、ＣＣＤ駆動回路１８は、ＣＣＤ７を駆動させて電荷蓄積動作を開始させる（電子シャッタの動作が開始する）。
【００９４】
このように、先羽根の走行開始タイミングをタイマーにて制御して、絞り２の駆動中に走行動作を開始する（オーバーラップさせる）ように制御している。従って、オーバーラップさせている時間分、従来よりもレリーズタイムラグを短くすることが可能となる。
【００９５】
また、絞り駆動時間が開放の場合は、ミラーアップとオーバーラップして先羽根の走行動作が開始することになるので、この場合もレリーズタイムラグを短くすることが可能となる。
【００９６】
次に、露出制御値に基づいて決定されたＴｖ値により所定時間蓄積動作を行い、終了タイミングに合わせて、シャッタ駆動回路１７からの後羽根走行開始信号により、機械シャッタ装置６の後羽根が走行動作を開始して、ＣＣＤ７の受光面を遮光状態とする。
【００９７】
ＣＣＤ７は、電荷蓄積時間終了と共に、光電変換素子に蓄積された信号電荷を垂直転送ＣＣＤへ転送し、後羽根駆動終了のタイミングにて信号電荷の読み出し動作である通常読出しを行い、１コマの撮影シーケンスを終了させる。
【００９８】
以上のように、本実施の形態の係る撮像装置によれば、ミラーアップを完了するのと略同時に機械シャッタ手段の先羽根の走行が完了するので、ミラーアップが完了してから先羽根の走行を開始させる場合に比べて、レリーズタイムラグを短くすることができる。
【００９９】
また、極力ＣＣＤ等の撮像手段へ光が照射する時間を短くできるので、スミア等の問題の発生を防ぐことができる。
【０１００】
（その他の実施の形態）
尚、本発明の目的は、上記各実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成されることは言うまでもない。
【０１０１】
この場合、記憶媒体から読み出されたプログラムコード自体が前述した実施の形態の機能を実現することになり、そのプログラムコードを記憶した記憶媒体は本発明を構成することになる。
【０１０２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０１０３】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれることは言うまでもない。
【０１０４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した各実施の形態の機能が実現される場合も含まれることは言うまでもない。
【０１０５】
【発明の効果】
以上詳述したように、本発明によれば、電子シャッタ手段を用いて撮像する際の画質劣化を抑制しつつ、レリーズタイムラグ中の絞り込み可能な段数を増加することが可能で且つスミア等の問題を排除することが可能であるという効果を奏する。
【図面の簡単な説明】
【図１】本発明の第１の実施の形態に係る撮像装置である電子スチルカメラの構成を示すブロック図である。
【図２】本発明の第１の実施の形態に係る撮像装置である電子スチルカメラの撮影動作の流れを示すフローチャートである。
【図３】本発明の第１の実施の形態に係る撮像装置である電子スチルカメラの撮影動作の流れを示すフローチャートである。
【図４】本発明の第１の実施の形態に係る撮像装置である電子スチルカメラにおける絞り段数と絞り時間との関係を表わす表を示す図である。
【図５】本発明の第１の実施の形態に係る撮像装置である電子スチルカメラにおける撮影動作のタイミングを示すタイムチャートである。
【図６】本発明の第２の実施の形態に係る撮像装置である電子スチルカメラにおける撮影動作のタイミングを示すタイムチャートである。
【図７】従来の撮像装置である電子スチルカメラにおける撮影動作のタイミングを示すタイムチャートである。
【符号の説明】
１      撮影レンズユニット
２      絞り
３      ペンタプリズム
４      メインミラー
５      サブミラー
６      機械シャッタ装置
７      ＣＣＤ
８      Ａ／Ｄ変換器
９      映像信号処理回路
１０    圧縮回路
１１    メモリカード
１２    ＡＦ駆動回路
１３    絞り駆動回路
１４    ミラー駆動回路
１５    焦点検出回路
１７    シャッタ駆動回路
１８    ＣＣＤ駆動回路
１９    液晶モニタ
２０    マイクロコンピュータ（ＭＰＵ）
２１    スイッチセンス回路
２２    測光センサ
２２ａ  第１のスイッチ（ＳＷ１）
２２ｂ  第２のスイッチ（ＳＷ２）
２３    測光回路
【図１】
0004838460.tif 000002
【図２】
0004838460.tif 000003
【図３】
0004838460.tif 000004
【図４】
0004838460.tif 000005
【図５】
0004838460.tif 000006
【図６】
0004838460.tif 000007
【図７】
0004838460.tif 000008